(57)【要約】      （修正有）【課題】作業の途中の状態に対応して、容易かつ自在又はバーナーの姿勢に応じて主たる燃焼パイプのガスの供給量を可変することで、必要なときのみガス供給を大きくし、それ以外は種火状態にする主炎状態調節自在セットボンベガスバーナーを提供する。【解決手段】ボンベを収容して保持する容器部１００と、これに接続し、ガスの通過の開閉を行うガス供給・停止弁部１１０と、火炎として放射するバーナーを有する燃焼部１２０と、ガス供給・停止弁部１１０と燃焼部１２０を接続するガス配管部１３０とを有する。バーナーへのガス配管に備えたガス量調整バルブ１３２，１３５の操作によりバーナーの火炎状態と種火状態間で随時状態可変とすることで火炎状態を絞り消費ガスの節減を可能にする。【選択図】図１
0003187818.tif 000002
【実用新案登録請求の範囲】
【請求項１】
ボンベを収容して保持し、前記ボンベのガス供給口金をはめ込み接続するための口金受け具を備えた容器部と、ガスを導く第一の通路で前記口金受け具に接続し、ガスの通過の開閉を行うガス供給・停止弁部と、前記ガス供給・停止弁部からガスを導く第二の通路であるガス配管部と、前記ガス配管部からガスを受けてこれを燃焼し、火炎として放射するするバーナーを有する燃焼部とを備え、前記バーナーへのガス配管に備えたガス量調整バルブの操作により前記バーナーの火炎状態と種火状態間で随時状態可変とすることで火炎状態を絞り消費ガスの節減を可能としたことを特徴とする主炎状態調節自在カセットボンベガスバーナー。
【請求項２】
前記ガス量調整バルブは、操作のための手動回転レバー又は、備えられた重りの重力により回転するレバーを有することを特徴とする請求項１記載の主炎状態調節自在カセットボンベガスバーナー。
【請求項３】
前記ガス量調整バルブは、前記主炎状態調節自在カセットボンベガスバーナーに備えられその傾斜状態を検出する傾斜角度センサーの検出出力により開閉状態を制御するようにしたことを特徴とする請求項１又は請求項２記載の主炎状態調節自在カセットボンベガスバーナー。
【請求項４】
前記ガス量調整バルブの前記操作によって、火炎状態と種火状態間の状態変化が一つの前記バーナーで起すために、前記ガス量調整バルブの開閉状態が前記火炎状態と種火状態の二つの状態に対応するように設定されていることを特徴とする請求項１から請求項３のいずれか１つに記載の主炎状態調節自在カセットボンベガスバーナー。
【考案の詳細な説明】
【技術分野】
【０００１】
本考案は、簡単な操作または、バーナーの姿勢により自動で主炎を消化と点火を自在に切りかえるカットボンベガスバーナーに関するものである。
【背景技術】
【０００２】
従来、農園芸等での草焼き、用土の殺菌・殺虫のための土焼き等にバーナーの火炎を使うことが行われる。この様なバーナーとして、特許文献１から特許文献３にその例を見ることが出来る。特許文献１（図５の５−Ａに示す）では、ガスを噴出すメインパイプにガスを導く中間にバイパスパイプを設けることで、ガスの気化を図っている例である。特許文献２（図５の５−Ｂに示す）では、バーナーのガス噴出手段と燃焼部との連結体をガスボンベを収納した密閉タンクの蓋部分と連結し、蓋を掛け金でタンク本体に装着した時、ガス噴出手段のバルブ端とボンベのガス噴出バルブが自動的に連結するようにしている。ガス漏れ防止とボンベの保護を目的にしたものである。特許文献３（図５の５−Ｃに示す）は、バーナーの工夫ではなく、土を掘り起こす、掻き毟る、ひっくり返すなどの農作業具を先端につけて棒に農作業具があたる土に炎が当たる位置にバーナーを取り付けたものである。
ところで、家庭で農・園芸を楽しむ人も多いが、プランターや畑の土を火炎で加熱して殺菌・殺虫する場合に、連続して火炎を当てる作業のみが続く訳ではない。特許文献３のような土を引っかいただけで火炎を当てても全ての土が十分に火炎の熱が到達するわけではない。火炎が良く当たるように土の面を平坦にして火炎を当て、土の上下を返して又平坦にして火炎を当てという作業を繰り返して初めて火炎の効果が出る。土を返す作業と平坦にする作業の間は、火炎の効果は少なく、無駄にガスが消費される。特許文献１及び特許文献２についても、ガスの気化効果を挙げる内容となっているが、作業の状態に対応して火炎のためのガス供給を可変する手段が無いので、作業終了まで常時、火炎を出している無駄な状態である。
【先行技術文献】
【特許文献】
【０００３】
【特許文献１】実開平５−３４４０９
【特許文献２】実開平５−６７２６８
【特許文献３】特開２００３−４７３８５
【考案の概要】
【考案が解決しようとする課題】
【０００４】
本考案の課題は、作業の途中の状態に対応して、容易かつ自在又はバーナーの姿勢に応じて主たる燃焼パイプのガスの供給量を可変することで、必要なときのみガス供給を大きくし、それ以外は種火状態にすることである。
【課題を解決するための手段】
【０００５】
本考案の主炎状態調節自在カセットボンベガスバーナーは、主たる燃焼パイプのガスの供給を可変自在にし、供給を絞った場合でも種火を保持する種火供給手段を有し、火炎を大きくしたい場合は、ハンドルのワンタッチ操作又は、土に火炎を向けるように、バーナーを斜めに傾けるだけで姿勢に応じて自動的にガス供給バルブの開閉状態が変わるガス量可変手段を備えたものである。
以下、請求項に沿って記述する。
【０００６】
請求項１記載の考案は、主炎状態調節自在カセットボンベガスバーナーであって、ボンベを収容して保持し、前記ボンベのガス供給口金をはめ込み接続するための口金受け具を備えた容器部と、ガスを導く第一の通路で前記口金受け具に接続し、ガスの通過の開閉を行うガス供給・停止弁部と、前記ガス供給・停止弁部からガスを導く第二の通路であるガス配管部と、前記ガス配管部からガスを受けてこれを燃焼し、火炎として放射するするバーナーを有する燃焼部とを備え、前記バーナーへのガス配管に備えたガス量調整バルブの操作により前記バーナーの火炎状態と種火状態間で随時状態可変とすることで火炎状態を絞り消費ガスの節減を可能としたことを特徴とする。
【０００７】
請求項２記載の考案は、請求項１記載の主炎状態調節自在カセットボンベガスバーナーにおいて、前記ガス量調整バルブは、操作のための手動回転レバー又は、備えられた重りの重力により回転するレバーを有することを特徴とする。
【０００８】
請求項３記載の考案は、請求項１又は請求項２記載の主炎状態調節自在カセットボンベガスバーナーにおいて、前記ガス量調整バルブは、前記主炎状態調節自在カセットボンベガスバーナーに備えられその傾斜状態を検出する傾斜角度センサーの検出出力により開閉状態を制御するようにしたことを特徴とする。
【０００９】
請求項４記載の考案は、請求項１から請求項３のいずれか１つに記載の主炎状態調節自在カセットボンベガスバーナーにおいて、前記ガス量調整バルブの前記操作によって、火炎状態と種火状態間の状態変化が一つの前記バーナーで起すために、前記ガス量調整バルブの開閉状態が前記火炎状態と種火状態の二つの状態に対応するように設定されていることを特徴とする。
【考案の効果】
【００１０】
以上の様に構成されているので、本考案による主炎状態調節自在カセットボンベガスバーナーは、作業の間、ずっと連続で火炎状態を大きくすることなく、付随する他の作業のため火炎状態を絞る方が好ましい場合は、ハンドルの操作又はバーナーの姿勢による自動的調節により、主たる燃焼パイプのガスの供給量が絞られ、種火状態になるので、大きな火炎状態と種火状態が繰り返し容易に実現でき、消費ガスの節減に寄与できる。
【図面の簡単な説明】
【００１１】
【図１】本考案による主炎状態調節自在カセットボンベガスバーナーの一実施態様を示す図である。
【図２】本考案による主炎状態調節自在カセットボンベガスバーナーの別の実施態様を示す図である。
【図３】本考案による主炎状態調節自在カセットボンベガスバーナーの使用状態の態様を示す図である。
【図４】本考案による主炎状態調節自在カセットボンベガスバーナーの種火状態の態様を示す図である。
【図５】従来のバーナーの例を示す図である。
【考案を実施するための形態】
【００１２】
本考案の主炎状態調節自在カセットボンベガスバーナーは、主たる燃焼パイプのガスの供給を可変自在にし、供給を絞った場合でも種火を保持する種火供給手段を有し、火炎を大きくしたい場合は、ハンドルのワンタッチ操作又は、土に火炎を向けるように、バーナーを斜めに傾けるだけで姿勢に応じて自動的にガス供給バルブの開閉状態が変わるガス量可変手段を備えたものである。
以下図に沿って説明する。
【００１３】
図１は、本考案による主炎状態調節自在カセットボンベガスバーナーの一実施態様を示す図である。これは、ボンベを収容して保持する容器部１００とこれに接続したガス供給・停止弁部１１０と燃焼部１２０とガス供給・停止弁部１１０と燃焼部１２０を接続するガス配管部１３０を有している。各部を詳細に説明する。
【００１４】
容器部１００は、ボンベを内包できるように例えば円筒状形状の容器筐体１０１とその先端には、ボンベのガス供給口金をはめ込み接続するための口金受け具１０２がボンベの口金の向きに合うように設置されている。ボンベは、容器筐体１０１の他の端にある開口部１０３から挿入し、回転すると、ボンベの口金が口金受け具１０２に嵌り接続される。開口部１０３を塞ぐ蓋１０４が備えられ、これを開口部１０３に合わせて、容器筐体１０１についた固定具１０５で押えると蓋１０４は開口部１０３を塞いだ状態で固定される。同時に、蓋１０４に備えたバネがボンベの底側を口金方向に押しつけ、しっかりとボンベが容器１００にセットされる。
尚、容器筐体１０１には、手持ちのための把手１０６が備えてある。
【００１５】
ガス供給・停止弁部１１０は、口金受け具１０２に接続されている。ここにはガスをガス配管部１３０に供給をするか停止をするかを行う供給・停止弁１１１を有している。例えば、供給・停止弁１１１は、回転によりガス栓の開放、閉鎖を行うものである。
【００１６】
燃焼部１２０は、ガス配管部１３０から火炎用のガスを供給するための主ガス供給パイプ１２１を内部に有し、これを囲む円筒部１２２を有している。円筒部には燃焼のための空気穴１２３を備えている。尚、ガスに点火するための電子点火装置を備えても良い。この例では、種火用のガスを別に供給するように補助ガス供給パイプ１２４を備えている。
【００１７】
ガス配管部１３０は、ガス供給・停止弁部１１０のガス出力口１１２に接続し、主ガス供給パイプ１２１に繋がる主パイプ１３１とこの間にある主ガス量調整バルブ１３２とこれを動かす調整バー１３３を備えている。この例では、種火用のガスを別に供給するように補助ガス供給パイプ１２４にガスを供給する補助パイプ１３４も備えられ、その入り口は、主ガス量調整バルブ１３２とガス出力口１１２の間に備えられる。補助パイプ１３４の途中には、種火の大きさを調整する補助ガス量調整バルブ１３５が備えられている。
【００１８】
図２は、本考案による主炎状態調節自在カセットボンベガスバーナーの別の実施態様を示す図である。図１との違いのみ記述する。図２の例では、図１の種火用の補助ガス供給パイプ１２４、補助パイプ１３４、補助ガス量調整バルブ１３５など種火用の手段が別に備えられていない。この場合には、主ガス量調整バルブ１３２の調整が、種火用に相当するガス量と火炎用のガス量の間で行われているため、主ガス供給パイプ１２１の先端での火炎は、消えることなく最小限種火状態となる。
【００１９】
図３は、本考案による主炎状態調節自在カセットボンベガスバーナーの使用状態の態様を示す図である。
図３では、図１のものについて記述したが、図２のものでも同じである。
容器部１００にはガスボンベを収容してセットしてある。供給・停止弁１１１を開けてガスを燃焼部１２０に供給する。種火用の補助ガス供給パイプ１２４の先端には、種火用の小さな火炎が出来る。図２では、主ガス供給パイプ１２１の先端に種火用の小さな火炎が出来る。調整バー１３３を動かすと、主ガス量調整バルブ１３２の開き状態が火炎用に開いて、主ガス供給パイプ１２１の先端から大きな火炎が噴出す。調整バー１３３は簡単なワンタッチ手動レバーが好都合である。尚、調整バー１３３の先端に重り１３４をつけることで、この重りの重力による回転を用いることで、バーナーを図のように略４５度傾斜することで、調整バー１３３が自動回転するか、又は、傾斜を傾きセンサーで検知して主ガス量調整バルブ１３２の軸の回転を行わせてもよい。尚、この図では、加熱される土壌等３０１とその下にはこれを受ける石板等３０２を示している。
【００２０】
図４は、本考案による主炎状態調節自在カセットボンベガスバーナーの種火状態の態様を示す図である。バーナーの火炎を一時小さくして種火状態にしたい。調整バー１３３を手動操作するか、又は、重りの重力を利用した場合又は、傾斜センサーによるガス量調整バルブ１３２の軸駆動を行う場合は、バーナーを略４５度の傾斜状態を外して、図のように容器部１００を地面に立てる状態にすると、主ガス量調整バルブ１３２は、閉じて主ガス供給パイプ１２１の先端の火炎は消えて、補助ガス供給パイプ１２４の先端の種火のみになる。図２の場合は、主ガス供給パイプ１２１の先端に種火が残る。
【００２１】
以上のように調整バー１３３のワンタッチ操作又は、燃焼部１２０を土壌等の対象に向けるようにバーナーを略４５度傾斜するだけで容易又は自動的に大きな火炎が主ガス供給パイプ１２１の先端に形成されて炙るなど加熱処理を行え、又、簡単に種火状態に戻ることが可能なので極めて消費するガス量の節約を行える。尚、回転の角度は、４５度だけでなく９０度以内の角度が可能である。９０度の場合は、燃焼部１２０の先端を対象物に略直角に向けることになる。
【産業上の利用可能性】
【００２２】
以上のように本考案による主炎状態調節自在カセットボンベガスバーナーは、作業の間、ずっと連続で火炎状態を大きくすることなく、付随する他の作業のため火炎状態を絞る方が好ましい場合は、手動回転レバーの操作又はバーナーの姿勢による自動的調節により、主たる燃焼パイプのガスの供給量が絞られ、種火状態になるので、大きな火炎状態と種火状態が繰り返し容易に実現でき、消費ガスの節減に寄与できるので、産業上利用して効果が極めて大きい。尚、回転レバーの回転には、配管に直角な中心軸の周りの回転の他に、配管の長手方向に沿った軸の周りの回転、即ち折込操作もある。
【符号の説明】
【００２３】
１００  容器部
１０１  容器筐体
１０２  口金受け具
１０３  開口部
１０４  蓋
１０５  固定具
１０６  把手
１１０  ガス供給・停止弁部
１１１  供給・停止弁
１１２  ガス出力口
１２０  燃焼部
１２１  主ガス供給パイプ
１２２  円筒部
１２３  空気穴
１２４  補助ガス供給パイプ
１３０  ガス配管部
１３１  主パイプ
１３２  主ガス量調整バルブ
１３３  調整バー
１３４  重り
１３５  補助ガス量調整バルブ
３０１  土壌等
３０２  石板等
【図１】
0003187818.tif 000003
【図２】
0003187818.tif 000004
【図３】
0003187818.tif 000005
【図４】
0003187818.tif 000006
【図５】
0003187818.tif 000007